(57)【要約】【課題】電子メールのシークレット処理の容易化、電子メールを第三者に見られないようにするために行う利用者の操作性の向上と負担軽減を図る。【解決手段】メール送受信部と、送受信した電子メールを複数の分類箱からなる第１メール箱に分類して記憶する第１メール記憶制御部と、シークレットメールを複数の分類箱からなる非表示の第２メール箱に分類して記憶する第２メール記憶制御部と、第１及び第２メール箱に記憶された電子メール及びシークレットメールをアクセスするアクセス部と、表示部と、アクセスされた電子メール及びシークレットメールを各分類箱に付加されたフォルダ及びシークレットフォルダと対応づけて表示部に一覧表示する表示制御部と、一覧表示された電子メールのいずれかがシークレットフォルダにドラッグされた場合に、ドラッグされた電子メールをシークレットメールとして設定するシークレット設定部とを備える。【選択図】  図２
2005070852.tif 000002
【特許請求の範囲】
【請求項１】
電子メールを送受信するメール送受信部と、送受信した電子メールを複数の分類箱からなる第１メール箱に分類して記憶する第１メール記憶制御部と、シークレットメールを複数の分類箱からなる非表示の第２メール箱に分類して記憶する第２メール記憶制御部と、第１及び第２メール箱に記憶された電子メール及びシークレットメールをアクセスするアクセス部と、表示部と、アクセス部によりアクセスされた電子メール及びシークレットメールを各分類箱に付加されたフォルダ及びシークレットフォルダと対応づけて表示部に一覧表示する表示制御部と、一覧表示された電子メールのいずれかがシークレットフォルダにドラッグされた場合に、ドラッグされた電子メールをシークレットメールとして設定するシークレット設定部とを備え、前記表示制御部は前記設定されたシークレットメールを非表示にし、前記第２メール記憶制御部は前記設定されたシークレットメールを、前記ドラッグされたシークレットフォルダに対応する第２メール箱の分類箱の中に更新記憶することを特徴とする電子メール送受信装置。
【請求項２】
シークレットメールのアクセスを許可するためのパスワードを含む情報を入力する入力部と、入力されたパスワードを登録するパスワード登録部と、すでに登録されたパスワードと新たに入力されたパスワードとが一致するか否かを判定するパスワード判定部とをさらに備え、前記パスワード判定部が新たに入力されたパスワードと前記登録されたパスワードとが一致したと判定したとき、前記アクセス部が第２メール箱の各分類箱に記憶されているシークレットメールをアクセスし、前記表示制御部はアクセスされたシークレットメールをシークレットフォルダと対応づけて表示部に一覧表示することを特徴とする請求項１記載の電子メール送受信装置。
【請求項３】
前記第１及び第２メール箱は、それぞれ受信した電子メールを記憶する第１及び第２受信箱、これから送信する電子メールを記憶する第１及び第２送信箱、すでに送信した電子メールを記憶する第１及び第２送信済み箱、未送信の電子メールを記憶する第１及び第２未送信箱及びこれから送信する電子メールを編集するための第１及び第２草稿箱として機能する分類箱を備えてなることを特徴とする請求項１記載の電子メール送受信装置。
【請求項４】
前記第２メール記憶制御部は、前記メール送受信部が第２メール箱の第２送信箱に記憶されたシークレットメールを送信した後、そのシークレットメールを第２メール箱の第２送信済み箱に移動することを特徴とする請求項３記載の電子メール送受信装置。
【請求項５】
前記第２メール記憶制御部は、前記メール送受信部が第２メール箱の第２送信箱に記憶されていたシークレットメールを送信した後、そのシークレットメールの送信エラーを検知したとき、送信エラーが発生したシークレットメールを第２メール箱の第２未送信箱に移動することを特徴とする請求項３記載の電子メール送受信装置。
【請求項６】
電子メールのシークレット処理が可能なメールソフトをインストールするインストール部と、メールソフトをインストールするときに第２メール箱の各分類箱と各分類箱に付加するシークレットフォルダを作成するシークレットフォルダ作成部とをさらに備えたことを特徴とする請求項２記載の電子メール送受信装置。
【請求項７】
前記インストール部が電子メールのシークレット処理が可能なメールソフトをインストールするときに、前記パスワード登録部が、シークレットメールのアクセスを許可するパスワードを登録することを特徴とする請求項６記載の電子メール送受信装置。
【請求項８】
前記シークレットフォルダ作成部が第２メール箱の分類箱に付加するシークレットフォルダを作成するときに、前記パスワード登録部が、シークレットメールのアクセスを許可するパスワードを登録することを特徴とする請求項６記載の電子メール送受信装置。
【請求項９】
前記表示部にシークレットフォルダ及びそのフォルダに対応づけられたシークレットメールが表示されているときに、前記入力部からのデータ入力が無いか否かを判定する経過時間判定部をさらに備え、前記経過時間判定部が所定時間経過してもデータ入力が無いという判定をしたとき、前記表示制御部は、表示中のシークレットフォルダ及びそのシークレットメールを非表示にすることを特徴とする請求項２記載の電子メール送受信装置。
【請求項１０】
前記メール送受信部が受信した電子メールの中に特定のシークレット情報が含まれているか否かを検索する検索部をさらに備え、検索部が受信メールにシークレット情報が含まれていると判断した場合に、前記第２メール記憶制御部が、その受信メールをシークレットメールとして第２メール箱の第２受信箱に記憶することを特徴とする請求項３記載の電子メール送受信装置。
【請求項１１】
前記第２メール記憶制御部が受信メールをシークレットメールとして第２メール箱の第２受信箱に記憶したとき、前記表示制御部は、第２受信箱に付加されるシークレットフォルダを選択的に表示部に反転表示することを特徴とする請求項１０記載の電子メール送受信装置。
【請求項１２】
前記表示制御部は、シークレットメールをシークレットフォルダと対応づけて表示部に一覧表示するとき、そのシークレットメールとシークレットフォルダとを選択的に非表示にすることを特徴とする請求項１０記載の電子メール送受信装置。
【請求項１３】
メール送受信部を用いて、電子メールを送受信し、第１メール記憶制御部を用いて、送受信した電子メールを複数の分類箱からなる第１メール箱に分類して記憶し、第２メール記憶制御部を用いて、シークレットメールを複数の分類箱からなる第２メール箱に分類して記憶し、アクセス部を用いて、第１及び第２メール箱に記憶された電子メール及びシークレットメールをアクセスし、表示制御部を用いて、アクセス部によりアクセスされた電子メール及びシークレットメールを各分類箱に付加されたフォルダ及びシークレットフォルダと対応づけて表示部に一覧表示し、シークレット設定部を用いて、第三者に見られたくない電子メールを第２メール箱の同分類箱に付加したシークレットフォルダにドラッグすることによりシークレットメールとして設定し、前記表示制御部は設定されたシークレットメールを非表示にし、前記第２メール記憶制御部は設定されたシークレットメールをドラッグしたシークレットフォルダの分類箱に更新記憶することを特徴とする電子メール送受信方法。
【請求項１４】
メール送受信部を用いて、電子メールを送受信する機能と、第１メール記憶制御部を用いて、送受信した電子メールを複数の分類箱からなる第１メール箱に分類して記憶する機能と、第２メール記憶制御部を用いて、シークレットメールを複数の分類箱からなる第２メール箱に分類して記憶する機能と、アクセス部を用いて、第１及び第２メール箱に記憶された電子メール及びシークレットメールをアクセスする機能と、表示制御部を用いて、アクセス部によりアクセスされた電子メール及びシークレットメールを各分類箱に付加されたフォルダ及びシークレットフォルダと対応づけて表示部に一覧表示する機能と、シークレット設定部を用いて、一覧表示された電子メールのいずれかがシークレットフォルダにドラッグされた場合に、ドラッグされた電子メールをシークレットメールとして設定する機能と、前記表示制御部により前記設定されたシークレットメールを非表示にする機能と、前記第２メール記憶制御部により前記設定されたシークレットメールを前記ドラッグされたシークレットフォルダの分類箱の中に更新記憶する機能とを、コンピュータに実現させるための電子メール送受信プログラム。
【請求項１５】
メール送受信部と、第１メール記憶制御部と、第２メール記憶制御部と、アクセス部と、表示部と、表示制御部と、シークレット制御部とを備えた電子メール送受信装置の電子メール処理方法において、
メール送受信部により送受信された電子メールを、前記第１メール記憶制御部が、複数の分類箱からなる第１メール箱に分類して記憶するステップと、
前記アクセス部が、第１メール箱に記憶された電子メールをアクセスしたとき、前記表示制御部がアクセスされた電子メールと、前記第１メール箱の分類箱に付加されたフォルダと、シークレットメールを分類記憶するための複数の分類箱からなる第２メール箱に付加されたシークレットフォルダとを対応づけて表示部に一覧表示させるステップと、
一覧表示された電子メールのいずれかがシークレットフォルダにドラッグされた場合に、前記シークレット設定部がそのドラッグされた電子メールをシークレットメールとして設定するステップと、
前記表示制御部が、前記設定されたシークレットメールを非表示にするステップと、
前記第２メール記憶制御部が、前記設定されたシークレットメールを、前記ドラッグされたシークレットフォルダの第２メール箱の分類箱の中に更新記憶するステップとを含むことを特徴とする電子メール送受信装置の電子メール処理方法。
【発明の詳細な説明】
【０００１】
【発明の属する技術分野】
本発明は電子メール送受信装置に関し、詳しくは、電子メールを第三者が見ることのできないシークレットメールとして処理することが可能な電子メール送受信装置に関する。
【０００２】
【従来の技術】
近年、インターネットなどを中心とした情報インフラストラクチャの整備が急速に進んできており、この整備に伴って、文書や画像などの各種データを電子的なメッセージとして転送することのできる電子メールシステムの利用が急増してきている。
【０００３】
この電子メールシステムは、サーバに設けられたメールボックスを介して利用者相互間で電子メールのやり取りを行うものであり、このメールボックスに記憶された利用者宛ての電子メールは、利用者の電子メール受信装置により取り込まれて、電子メール受信装置の画面に表示される。しかしながら、このように利便性が高まった反面、受信メールを参照する際に、受信メールの標題、送信者名または本文などをその内容を第３者に見られてしまう危険性も高くなり、それを回避する方法がないといった問題があった。
例えば、これを回避する従来技術として、他人の目に触れさせたくない受信メールを予め指定された規則で加工した後に表示する電子メール受信装置が提案されている（特許文献１参照。）。
【０００４】
また、電子ネットワーク上で交わされる掲示板の記事やメール等を送受信するシステムにおいて、私的なメールや特定の人向けの記事などは、自分と宛て先の対象となる人以外には見られたくないものである。
例えば、これを改善する従来技術として、メールや記事を受発信する端末に、事前に利用者の識別情報を登録しておき、人を識別するためのセンサーと識別部を設け、端末の正面近くに居る人を識別し、メールや記事の作成時には見てもよい人を事前に登録し、参照時にはメールや記事に添付された宛て先を用いて、指定された以外の人が端末の近くに来ると、メールや記事を非表示にし、部外者に参照されるのを防ぐことができるデータ表示装置が提案されている（特許文献２参照。）。
【０００５】
【特許文献１】
特開平１１−１７５４２９号公報（第２頁−第３頁）
【特許文献２】
特開２０００−３２２３５８号公報（第１頁）
【０００６】
【発明が解決しようとする課題】
しかしながら、特許文献１に記載の電子メール受信装置では、特定のメール内容（Ｓｕｂｊｅｃｔ、送信者名など）を加工して隠す方法では、受信メールが一旦加工されてしまうこと自体に不便さがあり、その加工が第三者に知られてしまうと、そのまま見られてしまう危険性があった。
【０００７】
また、特許文献２に記載のデータ表示装置では、端末自体を利用者以外には使用不能にするために特別なハードが必要であり、システム全体が使用不能になっており、メールが着信しているかどうかもシステムを使用可能にしないと確認できないという問題があった。
【０００８】
また、パスワード付きフォルダからシークレットメールの返信や転送処理を行っても、その返信済みシークレットメールや送信エラー時の未送信シークレットメールは、通常の送信済み箱や未送信箱などに記憶されるので、送信済みや未送信のシークレットメールを見られるおそれがあった。
【０００９】
本発明は以上の事情を考慮してなされたものであり、例えば、利用者以外の第三者に見られたくない電子メールを、簡単なドラッグ操作によりシークレットメールに設定してシークレットメール箱に記憶するとともに非表示にし、さらに送信済みシークレットメールや送信エラーによる未送信シークレットメールもシークレットメール箱に記憶するよう構成したことにより、送信済みシークレットメールや未送信シークレットメールの消去忘れやシークレットフォルダへの移動忘れなどにより第三者に見られてしまう危険を回避することができる電子メール送受信装置を提供することを課題とする。
【００１０】
【課題を解決するための手段】
この発明は、電子メールを送受信するメール送受信部と、送受信した電子メールを複数の分類箱からなる第１メール箱に分類して記憶する第１メール記憶制御部と、シークレットメールを複数の分類箱からなる非表示の第２メール箱に分類して記憶する第２メール記憶制御部と、第１及び第２メール箱に記憶された電子メール及びシークレットメールをアクセスするアクセス部と、表示部と、アクセス部によりアクセスされた電子メール及びシークレットメールを各分類箱に付加されたフォルダ及びシークレットフォルダと対応づけて表示部に一覧表示する表示制御部と、一覧表示された電子メールのいずれかがシークレットフォルダにドラッグされた場合に、ドラッグされた電子メールをシークレットメールとして設定するシークレット設定部とを備え、前記表示制御部は前記設定されたシークレットメールを非表示にし、前記第２メール記憶制御部は前記設定されたシークレットメールを、前記ドラッグされたシークレットフォルダに対応する第２メール箱の分類箱の中に更新記憶することを特徴とする電子メール送受信装置を提供するものである。
【００１１】
これによれば、利用者が通常のドラッグ操作をすることにより、電子メールをシークレットメールに設定し、非表示かつ特定の分類箱への記憶をするので、第三者に見られたくない電子メールを、容易かつ安全に第三者に見られることのないように隔離することができる。
【００１２】
また、シークレットメールのアクセスを許可するためのパスワードを含む情報を入力する入力部と、入力されたパスワードを登録するパスワード登録部と、すでに登録されたパスワードと新たに入力されたパスワードとが一致するか否かを判定するパスワード判定部とをさらに備え、前記パスワード判定部が新たに入力されたパスワードと前記登録されたパスワードとが一致したと判定したとき、前記アクセス部が第２メール箱の各分類箱に記憶されているシークレットメールをアクセスし、前記表示制御部はアクセスされたシークレットメールをシークレットフォルダと対応づけて表示部に一覧表示するようにしてもよい。
これによれば、２つのパスワードが一致したときのみシークレットメールとシークレットフォルダとが表示されるので、パスワードを知っている利用者のみがシークレットメールを見ることができ、パスワードを知らない第三者に見られたくない電子メールが見られるのを防止することができる。
【００１３】
ここで、一覧表示される受信メールの情報としては、たとえば、表題、送信者、送信日時、受信日時などがある。ただし、これらすべてを常に表示するのではなく、必要に応じて重要と考えられる項目のみを表示すればよく、また、利用者が一覧表示する項目をあらかじめ設定できるようにしてもよい。
【００１４】
また、シークレットメールを他の電子メールと区別するためには、シークレットメールに特定のシークレット情報を付加すればよい。
特定のシークレット情報とは、たとえば、発信者アドレス、特定表題などがあげられるが、これに限るものではない。
【００１５】
また、前記第１及び第２メール箱は、それぞれ受信した電子メールを記憶する第１及び第２受信箱、これから送信する電子メールを記憶する第１及び第２送信箱、すでに送信した電子メールを記憶する第１及び第２送信済み箱、未送信の電子メールを記憶する第１及び第２未送信箱及びこれから送信する電子メールを編集するための第１及び第２草稿箱として機能する分類箱を備えるようにしてもよい。
【００１６】
ここで、前記第２メール記憶制御部は、前記メール送受信部が第２メール箱の第２送信箱に記憶されたシークレットメールを送信した後、そのシークレットメールを第２メール箱の第２送信済み箱に移動するようにしてもよい。
【００１７】
また、前記第２メール記憶制御部は、前記メール送受信部が第２メール箱の第２送信箱に記憶されていたシークレットメールを送信した後、そのシークレットメールの送信エラーを検知したとき、送信エラーが発生したシークレットメールを第２メール箱の第２未送信箱に移動するようにしてもよい。
【００１８】
これによれば、メール送信後に、そのメールが自動的に非表示の第２メール箱の中に記憶されるので、電子メールを第三者に対して不可視にするための利用者の負担を軽減でき、シークレットメールとしての設定忘れ、消去忘れ、シークレットフォルダへの移動忘れを防止でき、シークレットメールを第三者に見られてしまう危険を容易に回避できる。
【００１９】
また、電子メールのシークレット処理が可能なメールソフトをインストールするインストール部と、メールソフトをインストールするときに第２メール箱の各分類箱と各分類箱に付加するシークレットフォルダを作成するシークレットフォルダ作成部とをさらに備えてもよい。
【００２０】
ここで、シークレット処理とは、電子メールを作成した者以外の第三者に対して、その電子メールを不可視状態にすること、具体的には、たとえばシークレット情報の付加、第２メール箱への保存処理を意味する。
これによれば、メールソフトのインストール後に、シークレットフォルダを、利用者自らの操作で作成する必要がない。
【００２１】
また、前記インストール部が電子メールのシークレット処理が可能なメールソフトをインストールするときに、前記パスワード登録部が、シークレットメールのアクセスを許可するパスワードを登録するようにしてもよい。
このように、メールソフトをインストールするとき、つまりデフォルトであるときは、パスワードを登録するようにしているので、第三者がパスワードを変更することが容易にできないようにすることができる。
【００２２】
また、前記シークレットフォルダ作成部が第２メール箱の分類箱に付加するシークレットフォルダを作成するときに、前記パスワード登録部が、シークレットメールのアクセスを許可するパスワードを登録するようにしてもよい。
これによっても、第三者による容易なパスワードの変更を防止できる。
【００２３】
さらに、この発明は、前記表示部にシークレットフォルダ及びそのフォルダに対応づけられたシークレットメールが表示されているときに、前記入力部からのデータ入力が無いか否かを判定する経過時間判定部をさらに備え、前記経過時間判定部が所定時間経過してもデータ入力が無いという判定をしたとき、前記表示制御部は、表示中のシークレットフォルダ及びそのシークレットメールを非表示にする電子メール送受信装置である。
これによれば、一定時間の経過後メールが自動的に非表示となるので、メールが第三者に見られるのを防止するための利用者の負担を軽減できる。
また、単に非表示とするだけでなく、編集途中のメールを自動的に第２メール箱の中に保存し、メールを表示していた画面を消去するようにしてもよい。
【００２４】
また、前記メール送受信部が受信した電子メールの中に特定のシークレット情報が含まれているか否かを検索する検索部をさらに備え、検索部が受信メールにシークレット情報が含まれていると判断した場合に、前記第２メール記憶制御部が、その受信メールをシークレットメールとして第２メール箱の第２受信箱に記憶するようにしてもよい。
これによれば、シークレットメールと判断された受信メールを自動的に非表示の第２受信箱に記憶するので、受信メールをシークレットメールに設定して第三者に見られないようにするための操作を省くことができ、利用者の負担を軽減できる。
【００２５】
ここで、前記第２メール記憶制御部が受信メールをシークレットメールとして第２メール箱の第２受信箱に記憶したとき、前記表示制御部は、第２受信箱に付加されるシークレットフォルダを選択的に表示するようにしてもよい。
これによれば、シークレットメールが受信されたことを利用者に知らせることができるので、利用者はその表示を見るだけで容易にシークレットメールの存在に気づくことができる。
また、表示は反転表示だけでなく、色変更、大きさ変更、フォントの変更などを行ってもよく、また、音声や所定の着信音により報知するようにしてもよい。
【００２６】
また、前記表示制御部は、シークレットメールをシークレットフォルダと対応づけて表示部に一覧表示するとき、そのシークレットメールとシークレットフォルダとを選択的に非表示にしてもよい。
これによれば、フォルダを非表示にしているので、第三者に、シークレットフォルダ自体があることを気づかせず、シークレット処理そのものがされていることを隠すことができる。
【００２７】
さらに、この発明は、メール送受信部を用いて、電子メールを送受信し、第１メール記憶制御部を用いて、送受信した電子メールを複数の分類箱からなる第１メール箱に分類して記憶し、第２メール記憶制御部を用いて、シークレットメールを複数の分類箱からなる第２メール箱に分類して記憶し、アクセス部を用いて、第１及び第２メール箱に記憶された電子メール及びシークレットメールをアクセスし、表示制御部を用いて、アクセス部によりアクセスされた電子メール及びシークレットメールを各分類箱に付加されたフォルダ及びシークレットフォルダと対応づけて表示部に一覧表示し、シークレット設定部を用いて、第三者に見られたくない電子メールを第２メール箱の同分類箱に付加したシークレットフォルダにドラッグすることによりシークレットメールとして設定し、前記表示制御部は設定されたシークレットメールを非表示にし、前記第２メール記憶制御部は設定されたシークレットメールをドラッグしたシークレットフォルダの分類箱に更新記憶することを特徴とする電子メール送受信方法を提供するものである。
【００２８】
また、この発明は、メール送受信部を用いて、電子メールを送受信する機能と、第１メール記憶制御部を用いて、送受信した電子メールを複数の分類箱からなる第１メール箱に分類して記憶する機能と、第２メール記憶制御部を用いて、シークレットメールを複数の分類箱からなる第２メール箱に分類して記憶する機能と、アクセス部を用いて、第１及び第２メール箱に記憶された電子メール及びシークレットメールをアクセスする機能と、表示制御部を用いて、アクセス部によりアクセスされた電子メール及びシークレットメールを各分類箱に付加されたフォルダ及びシークレットフォルダと対応づけて表示部に一覧表示する機能と、シークレット設定部を用いて、一覧表示された電子メールのいずれかがシークレットフォルダにドラッグされた場合に、ドラッグされた電子メールをシークレットメールとして設定する機能と、前記表示制御部により前記設定されたシークレットメールを非表示にする機能と、前記第２メール記憶制御部により前記設定されたシークレットメールを前記ドラッグされたシークレットフォルダの分類箱の中に更新記憶する機能とを、コンピュータに実現させるための電子メール送受信プログラムを提供するものである。
【００２９】
また、この発明は、メール送受信部と、第１メール記憶制御部と、第２メール記憶制御部と、アクセス部と、表示部と、表示制御部と、シークレット制御部とを備えた電子メール送受信装置の電子メール処理方法において、
メール送受信部により送受信された電子メールを、前記第１メール記憶制御部が、複数の分類箱からなる第１メール箱に分類して記憶するステップと、
前記アクセス部が、第１メール箱に記憶された電子メールをアクセスしたとき、前記表示制御部がアクセスされた電子メールと、前記第１メール箱の分類箱に付加されたフォルダと、シークレットメールを分類記憶するための複数の分類箱からなる第２メール箱に付加されたシークレットフォルダとを対応づけて表示部に一覧表示させるステップと、一覧表示された電子メールのいずれかがシークレットフォルダにドラッグされた場合に、前記シークレット設定部がそのドラッグされた電子メールをシークレットメールとして設定するステップと、前記表示制御部が、前記設定されたシークレットメールを非表示にするステップと、前記第２メール記憶制御部が、前記設定されたシークレットメールを、前記ドラッグされたシークレットフォルダの第２メール箱の分類箱の中に更新記憶するステップを含むことを特徴とする電子メール送受信装置の電子メール処理方法を提供するものである。
【００３０】
【発明の実施の形態】
以下、図に示す実施例に基づいて本発明を詳述する。なお、本発明はこれによって限定されるものではない。また、電子メール送受信装置は、携帯電話，ＰＨＳ，ＰＤＡ，パソコンなどによって代表される電子メールの送受信が可能な電子機器に適用される。
【００３１】
＜電子メール送受信装置の構成＞
図１に、本発明の一実施形態である電子メール送受信装置の基本構成のブロック図を示す。図１において、本発明の電子メール送受信装置２０は、制御部１、プログラムメモリ２、バッファメモリ３、メールメモリ４（第１メール箱４１、第２メール箱４２）、メール送受信部５、第１メール記憶制御部６、第２メール記憶制御部７、アクセス部８、表示部９、表示制御部１０、シークレット設定部１１、入力部１２、パスワード登録部１３、パスワード判定部１４、インストール部１５、シークレットフォルダ作成部１６、経過時間判定部１７、検索部１８及びバス１９から構成されている。
【００３２】
また、第１メール箱４１は、従来と同様に第１受信箱４１ａ、第１送信箱４１ｂ、第１送信済み箱４１ｃ、第１未送信箱４１ｄ、第１草稿箱４１ｅから構成され、第２メール箱４２は、第２受信箱４２ａ、第２送信箱４２ｂ、第２送信済み箱４２ｃ、第２未送信箱４２ｄ、第２草稿箱４２ｅから構成されている。
【００３３】
制御部１は、例えば、コンピュータのＣＰＵ、ＭＰＵなどで構成され、プログラムメモリ２に記憶された制御プログラムにより、バス１９を介して、上記各構成ブロックをそれぞれ制御する。特に、第１メール記憶制御部６、第２メール記憶制御部７、アクセス部８、表示制御部１０、シークレット設定部１１、パスワード登録部１３、パスワード判定部１４、インストール部１５、シークレットフォルダ作成部１６、経過時間判定部１７及び検索部１８の機能は、ハードウェアロジックにより実現してもよいが、制御部１が制御プログラムに基づいて、メモリ、タイマー、Ｉ／Ｏコントローラ、レジスタ、カウンタなどのハードウェアを動作させることにより実現してもよい。
【００３４】
プログラムメモリ２は、例えば、ＲＯＭ、ＥＰＲＯＭ、ＥＥＰＲＯＭなどの半導体記憶素子、フロッピー（登録商標）ディスク、ＣＤ−ＲＯＭ，ＣＤ−Ｒ，ＭＯなどの記録媒体、ハードディスクなどの記憶装置が用いられ、このメモリ２には、制御部１がバス１９を介して各部を制御するための各種制御プログラムが記憶される。
【００３５】
また、プログラムメモリ２は、
（ａ）メール送受信部５を用いて、電子メールを送受信する機能と、
（ｂ）第１メール記憶制御部６を用いて、送受信した電子メールを複数の分類箱からなる第１メール箱４１に分類して記憶する機能と、
（ｃ）第２メール記憶制御部７を用いて、シークレットメールを複数の分類箱からなる第２メール箱４２に分類して記憶する機能と、
（ｄ）アクセス部８を用いて、第１及び第２メール箱に記憶された電子メール及びシークレットメールをアクセスする機能と、
（ｅ）表示制御部１０を用いて、アクセス部８によりアクセスされた電子メール及びシークレットメールを各分類箱に付加されたフォルダ及びシークレットフォルダと対応づけて表示部９に一覧表示する機能と、
（ｆ）シークレット設定部１１を用いて、第三者に見られたくない電子メールを第２メール箱の分類箱に付加したシークレットフォルダにドラッグすることによりシークレットメールとして設定する機能と、
（ｇ）前記表示制御部１０によって設定されたシークレットメールを非表示にする機能と、
（ｈ）前記第２メール記憶制御部７によって設定されたシークレットメールをドラッグしたシークレットフォルダの分類箱に更新記憶する機能とを、
コンピュータに実現させる電子メール送受信プログラムを記憶している。
【００３６】
バッファメモリ３は、例えば、ＲＡＭ、ＥＰＲＯＭ、ＥＥＰＲＯＭなどの半導体記憶素子、フロッピー（登録商標）ディスク、ＣＤ−ＲＯＭなどの記録媒体、ハードディスクなどの記憶装置が用いられ、制御動作中の各種データを記憶するものである。
【００３７】
メールメモリ４は、例えば、ＲＡＭ、ＥＰＲＯＭ、ＥＥＰＲＯＭなどの半導体記憶素子、フロッピー（登録商標）ディスク、ＣＤ−ＲＯＭなどの記憶媒体、ハードディスクなどの記憶装置が用いられる。第１メール箱４１は、通常の電子メールを記憶するものとして用い、第２メール箱４２はシークレットメールを記憶するものとして用いられる。
第１及び第２メール箱には、受信した電子メールを記憶する第１及び第２受信箱４１ａ、４２ａ、これから送信する電子メールを記憶する第１及び第２送信箱４１ｂ、４２ｂ、すでに送信した電子メールを記憶する第１及び第２送信済み箱４１ｃ、４２ｃ、未送信の電子メールを記憶する第１及び第２未送信箱４１ｄ、４２ｄ及びこれから送信する電子メールを編集するための第１及び第２草稿箱４１ｅ、４２ｅとして機能する領域が設けられる。
【００３８】
また、第１メール受信箱４１の中の各箱は、原則として表示要求があれば表示部に表示される箱とする。一方、第２メール箱４２の中の各箱は、初期設定時は表示要求があっても表示部に表示されない箱であるが、特定のパスワード認証が正常に行われた場合に、表示部に表示される箱とする。すなわち、第２メール箱は、パスワードの知らない第三者は見ることのできない箱とする。
【００３９】
メール送受信部５は、例えば、無線通信の場合は、無線信号を送信するアンテナ、モデム（信号変復調装置）、無線信号変換回路、通信回線接続回路などで構成され、送信相手と通信接続し、電子メールを送受信する機能ブロックである。
【００４０】
第１メール記憶制御部６は、例えば、第１メール記憶制御プログラムによって実現される機能ブロックであり、メール送受信部５を介して送受信した電子メールを、第１メール箱４１の第１受信箱４１ａ、第１送信箱４１ｂ、第１送信済み箱４１ｃ、第１未送信箱４１ｄ、第１草稿箱４１ｅに分類して記憶する機能ブロックである。
【００４１】
第２メール記憶制御部７は、例えば、第２メール記憶制御プログラムによって実現される機能ブロックであり、メール送受信部５を介して送受信したシークレットメール及びシークレット設定部１１により設定されたシークレットメールを、第２メール箱４２の第２受信箱４２ａ、第２送信箱４２ｂ、第２送信済み箱４２ｃ、第２未送信箱４２ｄ、第２草稿箱４２ｅに分類して記憶する機能ブロックである。
【００４２】
また、第２メール記憶制御部７は、メール送受信部５が第２メール箱４２の第２送信箱４２ｂから送信したシークレットメールを第２メール箱４２の第２送信済み箱４２ｃに記憶する機能ブロックである。
また、第２メール記憶制御部７は、メール送受信部５が第２メール箱４２の第２送信箱４２ｂから送信したシークレットメールの送信エラーを検知したとき、送信エラーによる未送信シークレットメールを第２メール箱４２の第２未送信箱４２ｄに記憶する機能も備える。
さらに、第２メール記憶制御部７は、送信相手から受信した電子メールに、シークレットメールとして取り扱うためのメールアドレスや特定のキーワードが含まれているという検索結果を、検索部１８から受けたとき、その受信した電子メールをシークレットメールとして第２メール箱４２の第２受信箱４２ａに記憶する機能も備える。
【００４３】
アクセス部８は、例えば、アクセス制御プログラムによって実現される機能ブロックであり、第１及び第２メール箱に記憶された電子メール及びシークレットメールをアクセスする機能ブロックである。
ここで、アクセスとしては、主としてメールの読み出し、書込を意味する。
また、アクセス部８は、第２メール記憶制御部７からのシークレットメールのアクセス指示を受け、かつ入力部１２により入力されたパスワードが、パスワード登録部１３に予め登録されたパスワードと一致したとき、第２メール箱４２の各分類箱に記憶されているシークレットメールをアクセスする機能を備える。
【００４４】
表示部９は、例えば、ＣＲＴ、ＬＣＤ（液晶ディスプレイ）、ＰＤＰ（プラズマ・ディスプレイ）、またはＥＬＤ（エレクトロ・ルミネンス・ディスプレイ）などを用いることができる。
【００４５】
表示制御部１０は、例えば、表示制御プログラムによって実現される機能ブロックであり、表示部９を制御して、送受信した電子メール及びシークレットメールを各メール箱に付加されたフォルダと対応づけて表示部９の画面に一覧表示するとともに、入力部１２により入力されたパスワードや各種データを表示部９の画面に表示する機能ブロックである。
【００４６】
また、表示制御部１０は、次のような機能を備える。
（１）シークレット設定部１１により設定されたシークレットメールを非表示にする機能。
（２）所定時間経過してもデータ入力が無いという判定結果を、経過時間判定部１７から受けたとき、表示中のシークレットフォルダ及びそのシークレットメールを非表示する機能。
（３）入力部１２から特定のデータ入力を受け、第２メール記憶制御部７が送信相手から受信したシークレットメールを第２メール箱４２の第２受信箱４２ａに記憶したとき、第２受信箱４２ａに付加されるシークレットフォルダを選択的に反転表示する機能。
（４）入力部１２から特定のデータ入力を受け、シークレットメールをシークレットフォルダと対応づけて表示部９に一覧表示するとき、シークレットフォルダのみを選択的に非表示にする機能。
【００４７】
シークレット設定部１１は、例えば、利用者がマウス、ペン、カーソルキーなどの入力装置を用いて、第三者に見られたくない電子メールを第２メール箱４２の分類箱４２ａ〜４２ｅに付加したシークレットフォルダにドラッグすることにより、その電子メールをシークレットメールとして設定する機能ブロックである。
入力部１２は、例えば、キーボード、キースイッチ、タッチパネル、ポインティングデバイスなどで構成され、シークレットメールのアクセスを許可するためのパスワードや各種アプリケーションを実行するための各種データを入力するハードウェアで構成されている。
【００４８】
パスワード登録部１３は、例えば、パスワード登録プログラムによって実現される機能ブロックであり、入力部１２により入力されたパスワードをパスワード登録部メモリ１３に登録する機能ブロックである。このパスワードは、後述するようなシークレット設定処理や表示処理などで用いられ、シークレットメールのアクセスを許可するためのものである。
また、パスワード登録部１３は、インストール部１５により電子メールのシークレット処理が可能なメールソフトをインストールする場合、シークレットフォルダ作成部１６により第２メール箱の各分類箱に付加するシークレットフォルダを作成するときにパスワードを登録する機能も有する。
【００４９】
パスワード判定部１４は、例えば、パスワード判定プログラムによって実現される機能ブロックであり、すでに登録されたパスワードと入力されたパスワードとが一致するか否かを判定する機能ブロックである。
インストール部１５は、例えば、インストール制御プログラムによって実現される機能ブロックであり、後述するような電子メールのシークレット処理が可能なメールソフトをインストールする部分である。
シークレットフォルダ作成部１６は、例えば、シークレットフォルダ作成プログラムによって実現される機能ブロックであり、メールソフトをインストールするときに第２メール箱の各分類箱とこれらに付加するシークレットフォルダを作成するものである。
【００５０】
経過時間判定部１７は、例えば、クロックカウンタ、経過時間判定プログラムによって実現される機能ブロックであり、表示部９にシークレットフォルダ及びそのシークレットメールが表示されているときに、所定時間経過しても入力部１２からのデータ入力が無いか否かを判定する機能ブロックである。
検索部１８は、例えば、検索プログラムによって実現される機能ブロックであり、送信相手から受信した電子メールやそのサブジェクト内にシークレットメールとして取り扱うメールアドレスや特定のキーワードが含まれているか否かを検索する機能ブロックである。
【００５１】
＜シークレット設定処理＞
図２に、本発明の電子メール送受信装置によるシークレットの設定処理のフローチャートを示す。図２に示したシークレット設定処理は、制御部１が、ハードウェアを制御することにより実行される。
【００５２】
ステップＳ１０１：制御部１は、プログラムメモリ２に格納されているメールソフトを起動する。
ステップＳ１０２：第１メール箱４１の第１受信箱４１ａに記憶されている受信メールがないか検索し、受信メールがある場合はその受信メールを第１受信箱４１ａに付加されたフォルダと対応づけて、その受信メールの送信日時、題名などの特定項目を表示部９に一覧表示する。ここでは、第１受信箱４１ａの受信メールの一覧がデフォルトとして表示されるものとする。ただし、入力部１２によるカーソルを移動させるようなキー操作により、第１受信箱４１ａから第１送信箱４１ｂ、第１送信済み箱４１ｃ、第１未送信箱４１ｄ、第１草稿箱４１ｅに記憶された電子メールの一覧表示に切り替えることができるようにする。
【００５３】
ステップＳ１０３：次に、一覧表示を表示させた状態で、さらに同じ画面上に、第２メール箱４２の第２受信箱４２ａに付加したシークレットフォルダを表示する。
ステップＳ１０４：次に利用者が、第１メール箱４１の第１受信箱４１ａに記憶された電子メールの中から第三者に見られたくない受信メールを、第２メール箱４２の第２受信箱４２ａに付加したシークレットフォルダにドラッグしたか否かをシークレット設定部が判定する。もし、ドラッグしたことが検出されれば、ステップＳ１０５に進み、そうでなければ、ステップＳ１０３に戻る。
【００５４】
ステップＳ１０５：ドラッグした受信メールをシークレットメールとして設定する。
ここで、シークレットメールとして設定するとは、具体的にはこの受信メールに対して、第２受信箱に記憶し、第２メール記憶制御部の管理メールとすることを意味する。
ステップＳ１０６：次に、ドラッグした受信メール、すなわち設定されたシークレットメールを、非表示にする。
ステップＳ１０７：非表示にされたシークレットメールを、ドラッグしたシークレットフォルダの第２受信箱４２ａにセーブする。
【００５５】
以上の一連の処理により、利用者以外の第三者に見られたくない電子メールは、簡単なドラッグ操作によりシークレットメールに設定して非表示にされ、シークレットフォルダのメール箱に更新記憶される。なお、ここでは受信箱４１ａに記憶された受信メールのシークレットの設定処理について説明したが、その他の送信済み箱４１ｃや未送信箱４１ｄなどについても、同様にシークレットの設定処理を実行することができる。
【００５６】
＜シークレットメールのアクセス処理＞
図３に本発明の電子メール送受信装置によるシークレットメールのアクセス処理のフローチャートを示す。図３においても、制御部１が、ハードウェアを制御することによりこのアクセス処理を実行する。
【００５７】
ステップＳ２０１：制御部１は、入力部１２からシークレットメールのアクセスを許可するためのパスワードが入力されるか否かチェックする。
ステップＳ２０２：パスワードが入力されたことが確認された場合、パスワード判定部１４が、入力されたパスワードと、予め登録されたパスワードとが一致するか否かを判定する。一致した場合、ステップＳ２０３に進み、そうでなければ、ステップＳ２０１に戻り、正しいパスワードを入力することを利用者に求める。
ステップＳ２０３：入力されたパスワードが正しい場合、第２メール箱４２に付加したシークレットフォルダを、表示部９に表示する。
シークレットフォルダは、複数個存在する場合は、すべて表示される。
ステップＳ２０４：次に、利用者がシークレットフォルダを選択するか否かをチェックする。
ステップＳ２０５：選択されたシークレットフォルダの中のシークレットメールをアクセスする。
ここで、アクセスとは、シークレットメールの有無の確認をすることと、シークレットメールが存在した場合にそのメールの一覧表示に必要な情報の読み出しをすることを意味する。
ステップＳ２０６：アクセスしたシークレットメールに関する情報をシークレットフォルダと対応づけて一覧表示する。たとえば、送信者、表題、受信日時などが表示される。
【００５８】
この処理により、シークレットメール及びシークレットフォルダを表示するときはパスワードの入力が必要になるので、利用者以外のパスワードを知らない第三者によって、シークレットフォルダ及びシークレットメールが見られてしまう危険を回避することができる。
【００５９】
＜シークレットメールの送信処理＞
図４に、本発明の電子メール送受信装置によるシークレットメールの送信処理のフローチャートを示す。図４においても、制御部１が、ハードウェアを制御することによりこの送信処理を実行する。
【００６０】
ここで、図示していない文書作成ソフトを用いて、利用者が電子メールを作成し、第三者に見られたくない場合は、その電子メールを、非表示の第２メール箱４２の第２草稿箱４２ｅに格納しているものとする。
ただし、作成した電子メールは、第１メール箱４１の第１草稿箱４１ｅの中に格納しておいてもよい。この場合は、作成段階では、まだ第三者が見られる状態で保存されていることになる。
また、第２メール箱４２の中はすべて原則として非表示としたが、この送信処理を行うことに関しては、少なくとも第２送信済み箱４２ｃと第２未送信箱４２ｄとが非表示になっていればよい。
【００６１】
ステップＳ３０１：制御部１は、第２メール箱４２の第２草稿箱４２ｅにすでに格納されているシークレットメールを読み出し、第２メール箱４２の第２送信箱４２ｂに移動した後、メール送受信部５により送信する。
【００６２】
ここで、第１メール箱４１の第１草稿４１ｅにすでに格納されている電子メールをシークレットメールとして送信したい場合は、第１草稿箱４１ｅに格納されている電子メールを読み出し、第２メール箱の第２送信箱４２ｂに移動した後、メール送受信部５により送信するようにすればよい。
この場合、第１草稿箱４１ｅに格納されている状態では、第三者に見られるおそれがあったが、第２送信箱４２ｂに移動することで非表示とすることができ、第三者に見られないようにできる。また、以下の処理により、電子メール送信後は第２送信済み箱４ｃか、第２未送信箱４ｄに移動させられるので、やはり第三者に見られることはない。
【００６３】
ステップＳ３０２：制御部１は、メール送受信部５の情報を確認することにより、第２送信箱４２ｂから送信されたシークレットメールについて送信エラーを検知したか否かを判定する。送信エラーが検知されれば、ステップＳ３０３に進み、そうでなければ、ステップＳ３０４に進む。
ステップＳ３０３：送信エラーの場合、制御部１は、送信エラーが発生したシークレットメールを第２メール箱４２の第２未送信箱４２ｄに移動し、シークレットメールの送信処理を終了する。
ステップＳ３０４：送信が正常に行われたことを確認できた場合に、制御部１は、第２送信箱から正常に送信されたシークレットメールを第２メール箱４２の第２送信済み箱４２ｃに移動する。
【００６４】
このような一連の処理により、送信が正常に行われたシークレットメールは第２送信済み箱４２ｃに記憶され、送信エラーが発生した未送信シークレットメールは第２未送信箱４２ｄに記憶されるので、送信済みシークレットメールや未送信シークレットメールの消去忘れやシークレットメールフォルダへの移動忘れを防止することができ、さらにシークレットメールを第三者に見られてしまう危険を回避できる。
【００６５】
＜パスワード登録処理＞
図５に、本発明の電子メール送受信装置によるパスワードの登録処理のフローチャートを示す。図５においても、制御部１が、ハードウェアを制御することにより、この登録処理を実行する。
【００６６】
ステップＳ４０１：まず、制御部１は、電子メールのシークレット処理が可能なメールソフトを、外部記憶メディアから読み込み、インストールする。
ステップＳ４０２：次に、制御部１は、第２メール箱４２（シークレットメール箱）の各分類箱に付加するシークレットフォルダを作成する。
ここで、シークレットフォルダとは、通常のフォルダとは異なり、パスワードの入力無しには、登録メールの閲覧、削除、編集、送信等ができないという特徴を有するフォルダである。
ステップＳ４０３：シークレットメールのアクセスを許可するパスワードの登録を許可する状態に設定する。具体的には、制御部１が、パスワード登録部１３に対して、登録処理の起動をかける。
ステップＳ４０４：制御部１は、予め登録するためのパスワードが入力されるのを監視する。
ステップＳ４０５：入力部１２からパスワードが入力された場合、パスワード登録部１３は、入力されたパスワードをパスワード登録部メモリ１３（パスワード登録部の管理下のメモリ）に登録する。
【００６７】
以上のような処理により、この装置にメールソフトをインストールした直後のシークレットフォルダを作成するときに、パスワードを登録するので、利用者以外の第三者によりパスワードが登録されたり変更されたりすることを防止することができる。
【００６８】
＜表示処理＞
図６に、本発明の電子メール送受信装置によるシークレットメールの表示処理のフローチャートを示す。図６においても、制御部１が、ハードウェアを制御することにより、この表示処理を実行する。また、図６に示すシークレットメールの表示処理は、シークレットフォルダ設定部によりシークレットフォルダの表示選択（ただし、パスワードの照合が必要）により起動させることができるが、図３に示したシークレットメールのアクセス処理のステップＳ２０６の後に続いて実行することもできる。
【００６９】
ステップＳ５０１：まず、制御部１は、第２メール箱４２の第２草稿箱４２ｅに付加されたシークレットフォルダと、この第２草稿箱４２ｅに記憶されているシークレットメールを対応づけて一覧表示する。
ステップＳ５０２：このような一覧表示がされた状態で、制御部１は、第２メール箱４２の第２草稿箱４２ｅに記憶されたシークレットメールを編集するデータが入力されるのを監視する。
ここで、入力部からデータが入力された場合は、たとえば、Ｓ５０３の所定時間のリセット処理が行われる。
【００７０】
ステップＳ５０３：制御部１は、経過時間判定部１７により、所定時間経過してもデータの入力が無いか否かを判定させる。所定時間を経過した場合は、ステップＳ５０４に進み、そうでなければ、シークレットメールの表示処理を終了する。
ここで、所定時間とは、たとえば、２〜３分程度の時間であり、利用者が任意に設定できるようにしてもよい。
ステップＳ５０４：所定時間経過してもデータ入力が無いときは、編集途中のシークレットメール及びそのシークレットフォルダを非表示にする。
ステップＳ５０５：編集途中のシークレットメールを第２メール箱４２の第２草稿箱４２ｅにセーブする。
ステップＳ５０６：第１メール箱４１（通常のメール箱）のフォルダとこのフォルダに属するメールを一覧表示する。
この一覧表示は、シークレットフォルダを隠すのと同時に、また、通常メールの処理を行えるのようにするためである。
【００７１】
以上のような処理により、シークレットフォルダ内のシークレットメールの閲覧中や送信メール内容の編集中の場合に、所定時間経過（例えば数分）してもデータ入力が無いときは非表示にし、元のメール箱にセーブするので、第三者に見られてしまう危険を少なくすることができる。なお、ここでは草稿箱に記憶された草稿メールのシークレットの表示処理について説明したが、その他の送信済み箱４２ｃや未送信箱４２ｄなどについても、同様に入力の無い時間が所定時間経過したら非表示にし、元のメール箱にセーブするようにしてもよい。
【００７２】
＜シークレットメール受信処理＞
図７に、本発明の電子メール送受信装置によるシークレットメールの受信処理のフローチャートを示す。図７においても、制御部１が、ハードウェアを制御することにより、この受信処理を実行する。
【００７３】
ステップＳ６０１：まず、制御部１は、メール送受信部５を介して、シークレットメールのメールアドレスや特定キーワードを予め伝えておいた送信相手から、電子メールの受信があったことを確認する。
ステップＳ６０２：送信相手から受信した電子メールの中にシークレットメールとして処理すべきメールアドレスが含まれているか否かを確認する。メールアドレスが含まれていれば、ステップＳ６０４に進み、そうでなければ、ステップＳ６０３に進む。
ステップＳ６０３：受信した電子メールのサブジェクトの中に、シークレットメールとして処理するために用いられる特定のキーワードが含まれているか否かを確認する。もしこの特定のキーワードが含まれれば、ステップＳ６０４に進み、そうでなければ、ステップＳ６０８に進む。
ステップＳ６０４：ここでは、シークレットメールであると確認した受信メールを、第２メール箱４２の第２受信箱４２ａ（シークレットフォルダ）に格納する。
【００７４】
ステップＳ６０５：制御部１は、シークレット設定部の管理情報をチェックすることにより、シークレットフォルダの表示形態が反転表示処理に設定されているかあるいは非表示処理に設定されているかを判定する。反転表示設定ならば、ステップＳ６０６に進み、非表示設定ならば、ステップＳ６０７に進む。
ステップＳ６０６：反転表示設定の場合は、第２受信箱に付加されるシークレットフォルダを反転表示し、シークレットメールの受信処理を終了する。
ステップＳ６０７：非表示設定の場合は、シークレットフォルダを非表示にし、シークレットメールの受信処理を終了する。
ステップＳ６０８：ステップＳ６０３において、特定のキーワードがなければ、受信した電子メールを通常の受信メールとして第１メール箱４１の第１受信箱４１ａ（メールフォルダ）に格納し、シークレットメールの受信処理を終了する。
【００７５】
以上のような処理により、利用者は、受信メールがシークレットメールか否かを自ら判断し格納フォルダを選択して格納する操作をすることがないので、シークレットメールの受信格納操作の手間を省くことができる。またシークレットメールフォルダへの移動忘れも防止できるので、第三者に見られてしまう危険を回避することができる。
さらに、シークレットフォルダが反転表示されているのを確認するだけでシークレットメールの着信を容易に確認することができる。また、シークレットフォルダのみを第三者に見られないように非表示にすることができるので、第三者に対してシークレットフォルダがあることを知られることがなく、シークレット処理をしていること自体も隠すことができる。
【００７６】
【発明の効果】
本発明によれば、利用者以外の第三者に見られたくない電子メールを、簡単なドラッグ操作をするだけで、シークレットメールに設定し、第２メール箱の所定のフォルダに更新記憶することができ、さらにこの所定のフォルダ内のメールを非表示にするので第三者に見られることを回避できる。
【図面の簡単な説明】
【図１】本発明の一実施形態である電子メール送受信装置の基本構成を示すブロック図である。
【図２】本発明の電子メール送受信装置によるシークレットの設定処理のフローチャートである。
【図３】本発明の電子メール送受信装置によるシークレットメールのアクセス処理のフローチャートである。
【図４】本発明の電子メール送受信装置によるシークレットメールの送信処理のフローチャートである。
【図５】本発明の電子メール送受信装置によるパスワードの登録処理のフローチャートである。
【図６】本発明の電子メール送受信装置によるシークレットメールの表示処理のフローチャートである。
【図７】本発明の電子メール送受信装置によるシークレットメールの受信処理のフローチャートである。
【符号の説明】
１  制御部
２  プログラムメモリ
３  バッファメモリ
４  メールメモリ
４１  第１メール箱
４１ａ  第１受信箱
４１ｂ  第１送信箱
４１ｃ  第１送信済み箱
４１ｄ  第１未送信箱
４１ｅ  第１草稿箱
４２  第２メール箱
４２ａ  第２受信箱
４２ｂ  第２送信箱
４２ｃ  第２送信済み箱
４２ｄ  第２未送信箱
４２ｅ  第２草稿箱
５  メール送受信部
６  第１メール記憶制御部
７  第２メール記憶制御部
８  アクセス部
９  表示部
１０  表示制御部
１１  シークレット設定部
１２  入力部
１３  パスワード登録部
１４  パスワード判定部
１５  インストール部
１６  シークレットフォルダ作成部
１７  経過時間判定部
１８  検索部
１９  バス
【図１】
2005070852.tif 000003
【図２】
2005070852.tif 000004
【図３】
2005070852.tif 000005
【図４】
2005070852.tif 000006
【図５】
2005070852.tif 000007
【図６】
2005070852.tif 000008
【図７】
2005070852.tif 000009